(57)【特許請求の範囲】
【請求項１】
ナースコール親機（１０）に、廊下灯（１１ａ、１１ｂ、・・・）を介して接続されているベッド子機（１ａ〜４ａ、１ｂ〜４ｂ、・・・）で構成され病院等で使用されるナースコール装置であって、
前記廊下灯は、前面に患者等からの呼び出し等の状態情報を表示するための液晶表示機能と側面に前記状態情報を報知させるための報知機能とを有し、
前記報知機能を発現する光源として前記液晶表示機能を実現する液晶表示装置（２０）のバックライト（３２、３２）を併用するとともに、パルス状の電圧を印加して前記側面の報知を断続させるための液晶シャッター（３３、３３）を備えたことを特徴とするナースコール装置。
【請求項２】
ナースコール親機（１０）に、廊下灯（１１ａ’、１１ｂ’、・・・）を介して接続されているベッド子機（１ａ〜４ａ、１ｂ〜４ｂ、・・・）で構成され病院等で使用されるナースコール装置であって、
前記廊下灯は、前面に患者等からの呼び出し等の状態情報を表示するための液晶表示機能と側面に前記状態情報を報知させるための報知機能とを有し、
前記報知機能を発現する光源として前記液晶表示機能を実現する液晶表示装置（２０）のバックライト（３２、３２）を併用するとともに、パルス状の電圧を印加することにより可動して前記側面の報知を断続させるための機械式シャッター（３４、３４）を備えたことを特徴とするナースコール装置。
【発明の詳細な説明】
【０００１】
【発明の属する技術分野】
本発明は病院等で使用されるナースコール装置に係り、廊下灯にて患者等の呼び出し等の状態情報を表示／報知させるために消費される電源を抑制して省電力化が図られたナースコール装置に関する。
【０００２】
【従来の技術】
従来から、病室の出入口近傍に設置される廊下灯として、図４に示す廊下灯５１が提案されており、図４（ａ）は正面図、図４（ｂ）は側面図、図４（ｃ）は図４（ａ）の廊下灯５１をａ−ａ線で切断した場合における下面図をそれぞれ表わすものである。
【０００３】
図４（ａ）の正面図および図４（ｂ）の側面図に示すように、廊下灯５１の前面には、主として、病室内に居る患者等からの呼び出し等の状態情報を表示するための液晶表示機能を実現する液晶表示装置６０が設けられており、廊下灯５１の側面、すなわち、廊下灯５１の両端部には、上述の状態情報を報知させるための報知機能を実現する表示灯６１、６１が液晶表示装置６０を介して対峙されるように設けられている。
【０００４】
図４（ｃ）の下面図に示すように、廊下灯５１の筐体内部には、主として、液晶表示装置６０を構成する液晶パネル７０および液晶パネル７０の背面側全体に亘り帖着された光拡散板７１と、液晶表示装置６０を構成する光拡散板７１を介して液晶パネル７０を２方向から照射するための光源をなすバックライト７２、７２と、表示灯６１、６１を発現する光源をなす複数のＬＥＤ、ここでは、表示灯６１、６１毎３個づつのＬＥＤ７３ａ〜７３ｃ、７３ａ〜７３ｃと、ＬＥＤ７３ａ〜７３ｃ、７３ａ〜７３ｃが搭載面７４ａ、７４ａに搭載されており、バックライト７２、７２にて発光された光を反射面７４ｂ、７４ｂを介して反射させるための反射板７４、７４とが設けられている。また、同図において、反射板７４、７４は、液晶表示装置６０を構成する液晶パネル７０および光拡散板７１、バックライト７２、７２をそれぞれ介して対峙されるように設けられている。
【０００５】
このように構成された従来例の廊下灯５１において、図４（ｃ）の下面図に示すバックライト７２、７２にて発光された光は、液晶表示装置６０を構成する光拡散板７１に対して２方向から入射されるとともに、反射板７４、７４の反射面７４ｂ、７４ｂを介して筐体内部方向に反射された後、光拡散板７１に入射される。液晶表示装置６０を構成する光拡散板７１は、バックライト７２、７２からの入射光と反射板７４、７４の反射面７４ｂ、７４ｂを介して反射された反射光とを拡散して均一な光量で液晶パネル７０の背面側全体に亘り出射することにより、病室内に居る患者等からの呼び出し等の状態情報を、図４（ａ）の正面図に示す液晶表示装置６０の画面上、すなわち、図４（ｃ）の下面図に示す液晶パネル７０の表示面（図示せず）にて表示させることができる。
【０００６】
また、図４（ｃ）の下面図に示すＬＥＤ７３ａ〜７３ｃ、７３ａ〜７３ｃが発光すると、図４（ａ）の正面図および図４（ｂ）の側面図に示す表示部６１、６１が点滅されることにより、病室内に居る患者等からの呼び出し等の状態情報を報知させることができる。
【０００７】
【発明が解決しようとする課題】
しかしながら、従来例の廊下灯５１において、病室内に居る患者等からの呼び出し等の状態情報を報知させるための報知機能を実現する表示灯６１、６１の光源をなすＬＥＤ７３ａ〜７３ｃ、７３ａ〜７３ｃの発光効率は、当該状態情報を表示するための液晶表示機能を実現する液晶表示装置６０の光源をなすバックライト７２、７２の発光効率とされる２５％と比較して１／６〜１／８、すなわち、３％〜８％であるため、より複数のＬＥＤが必要とされ消費電力が多大となる難点があった。
【０００８】
また、従来例の廊下灯５１が構成要部となる病院内等で使用されるナースコール装置においては、通信の信頼性を確保するために動作電源の供給をナースセンター側、通常、ナースセンター内に設置される制御機（図示せず）から一元的に行なっていたことから、この電源供給により動作される廊下灯の設置数には制限があった。
【０００９】
本発明は、上述の難点を解消するためになされたもので、廊下灯にて患者等の呼び出し等の状態情報の液晶表示機能／報知機能を発現する光源を併用させることにより、廊下灯にて消費される電源を抑制して省電力化が図られたナースコール装置を提供することを目的としている。
【００１０】
【課題を解決するための手段】
上述の目的を達成するため、本発明によるナースコール装置は、ナースコール親機に、廊下灯を介して接続されているベッド子機で構成され病院等で使用されるナースコール装置であって、廊下灯は、前面に患者等からの呼び出し等の状態情報を表示するための液晶表示機能と側面に状態情報を報知させるための報知機能とを有し、報知機能を発現する光源として液晶表示機能を実現する液晶表示装置のバックライトを併用するとともに、パルス状の電圧を印加して側面の報知を断続させるための液晶シャッターを備えたことを特徴としている。
【００１１】
また、本発明によるナースコール装置は、ナースコール親機に、廊下灯を介して接続されているベッド子機で構成され病院等で使用されるナースコール装置であって、廊下灯は、前面に患者等からの呼び出し等の状態情報を表示するための液晶表示機能と側面に状態情報を報知させるための報知機能とを有し、報知機能を発現する光源として液晶表示機能を実現する液晶表示装置のバックライトを併用するとともに、パルス状の電圧を印加することにより可動して側面の報知を断続させるための機械式シャッターを備えたことを特徴としている。
【００１２】
このようなナースコール装置によれば、ベッド子機が設置された病室内の患者等からナースコール親機が設置されたナースセンター内に居る看護婦への呼び出し等の状態情報を廊下灯の前面にて表示させる液晶表示機能を実現する液晶表示装置の光源をなすバックライトからの光を、パルス状の電圧の印加により断続的に透明状態とされる液晶シャッター、またはパルス状の電圧の印加により断続的に開成状態とされる機械式シャッターを介して廊下灯の側面に出射させ、当該状態情報を廊下灯の側面にて報知させるための報知機能を発現する光源として併用することにより省電力化が図れる。
【００１３】
【発明の実施の形態】
以下、本発明によるナースコール装置を適用した好ましい形態の実施例について、図面を参照して説明する。
【００１４】
図１は、本発明の第１、第２の各実施例によるナースコール装置のシステム構成図であり、病院等において病室Ａ、Ｂ、・・・内の病床毎、所定の位置に設置され、呼出機能、呼出報知（一斉放送報知を含む）機能、通話機能等を有する複数のベッド子機、ここでは、病室Ａ、Ｂ、・・・毎４台づつのベッド子機１ａ〜４ａ、１ｂ〜４ｂと、ナースセンター内に設置され、呼出（一斉放送起動機能を含む）機能、呼出報知機能、通話機能等を有するナースコール親機１０と、各病室Ａ、Ｂ、・・・の出入口近傍に設置され、ペア線の子機接続線Ｌ1a〜Ｌ4a、Ｌ1b〜Ｌ4b、・・・を介して接続されたベッド子機１ａ〜４ａ、１ｂ〜４ｂをそれぞれ制御（各種データの信号処理、通話路の選択等）して病室内の患者等からの呼び出しの状態情報を表示する液晶表示機能および当該状態情報を報知させるための報知機能を有する本発明の第１の実施例に適用される廊下灯１１ａ、１１ｂ、・・・、または本発明の第２の実施例に適用される廊下灯１１ａ'、１１ｂ'、・・・と、通常、ナースコール親機１０とともにナースセンター内に設置され、ペア線の親機接続線Ｌ10を介してナースコール親機１０、ペア線の廊下灯接続線Ｌ11を介して廊下灯１１ａ、１１ｂ、・・・、または廊下灯１１ａ'、１１ｂ'、・・・をそれぞれ接続する中継機となり、接続されたナースコール親機１０、廊下灯１１ａ、１１ｂ、・・・、または廊下灯１１ａ'、１１ｂ'、・・・をそれぞれ制御（各種データの信号処理、通話路の選択、動作電源の供給等）するための制御機１２とで構成されている。
【００１５】
また、本発明の第１の実施例に適用される廊下灯１１ａ、１１ｂ、・・・は、それぞれ同様な構成であり、図２（ａ）の正面図、図２（ｂ）の側面図、図２（ｃ）の廊下灯１１ａ、１１ｂ、・・・をＡ−Ａ線で切断した場合における下面図にそれぞれ表わされる。
【００１６】
図２（ａ）の正面図および図２（ｂ）の側面図に示すように、廊下灯１１ａ、１１ｂ、・・・の前面には、主として、病室Ａ、Ｂ、・・・内に居る患者等からナースセンター内に居る看護婦等への呼び出し等の状態情報を絵、イラスト、文字等を用いて表示するための液晶表示機能を実現する液晶表示装置２０が設けられており、廊下灯１１ａ、１１ｂ、・・・の側面、すなわち、廊下灯１１ａ、１１ｂ、・・の両端部には、上述の状態情報を点滅により報知させるための報知機能を実現する表示灯２１、２１が液晶表示装置２０を介して対峙されるように設けられている。
【００１７】
図２（ｃ）の下面図に示すように、廊下灯１１ａ、１１ｂ、・・・の筐体内部には、主として、液晶表示画面２０を構成する電気的または磁気的な変化が与えられることにより分子の配列方向（配向方向）が変化する液晶が内蔵された液晶バネル３０、および液晶パネル３０の背面側全体に亘り帖着されており後述するバックライト３２、３２からの入射光を拡散させ液晶パネル３０の背面側全体に均一な光量で出射する例えば、可撓性フィルム等のような光反射板３１と、液晶表示装置２０を構成する光反射板３１を介して液晶パネル３０を２方向から照射するための光源となるとともに、これに併用させて後述する液晶シャッター３３、３３を介して表示灯２１、２１を発現するための光源となる例えば、冷陰極管のようなバックライト３２、３２と、液晶表示装置２０を構成する液晶パネル３０および光拡散板３１、バックライト３２、３２をそれぞれ介して対峙されており、パルス状の電圧の印加により透明状態から不透明状態に変化して、バックライト３２、３２にて発光された光を側面方向に出射させる、または遮断して、側面の報知、すなわち、表示灯２１、２１の報知を断続させるための例えば、高分子分散液晶（ＰＤＬＣ）のような液晶シャッター３３、３３とが設けられている。
【００１８】
さらに、本発明の第２の実施例に適用される廊下灯１１ａ'、１１ｂ’、・・・は、それぞれ同様な構成であり、図３（ａ）の正面図、図３（ｂ）の側面図、図３（ｃ）の廊下灯１１ａ’、１１ｂ’、・・・をＡ’−Ａ’線で切断した場合における下面図にそれぞれ表わされる。
【００１９】
図３（ａ）の正面図および図３（ｂ）の側面図に示すように、廊下灯１１ａ’、１１ｂ’、・・・の前面には、主として、図２（ａ）の正面図および図２（ｂ）の側面図に示す本発明の第１の実施例に適用される廊下灯１１ａ、１１ｂ、・・・と同様な液晶表示機能を実現する液晶表示装置２０が設けられており、廊下灯１１ａ’、１１ｂ’、・・・の側面、すなわち、廊下灯１１ａ'、１１ｂ’、・・の両端部も同様、本発明の第１の実施例に適用される廊下灯１１ａ、１１ｂ、・・・と同様な報知機能を実現する表示灯２１、２１が液晶表示装置２０を介して対峙されるように設けられている。
【００２０】
図３（ｃ）の下面図に示すように、廊下灯１１ａ’、１１ｂ’、・・・の筐体内部には、主として、図２（ｃ）の下面図に示す本発明の第１の実施例に適用される廊下灯１１ａ、１１ｂ、・・・を構成する液晶シャッター３３、３３を除く各部、すなわち、液晶表示装置２０を構成する液晶パネル３０および光拡散板３１、バックライト３２、３２と、液晶表示装置２０を構成する液晶パネル３０および光拡散板３１、バックライト３２、３２をそれぞれ介して対峙されており、パルス状の電圧の印加により可動して開閉され、バックライト３２、３２にて発光された光を側面方向に出射させる、または遮断して、側面の報知、すなわち、表示灯２１、２１の報知を断続させるための機械式シャッター３４、３４とが設けられており、機械式シャッター３４、３４の一方の面とされる筐体内面側には、通常、バックライト３２、３２にて発光された光を反射して液晶表示装置２０を構成する光拡散板３１に入射させるための反射材（図示せず）が帖着されている。
【００２１】
このように構成された本発明の第１、第２の各実施例によるナースコール装置において、以下、各実施例に適用される廊下灯１１ａ、１１ｂ、・・・、廊下灯１１ａ’、１１ｂ’の具体的な動作についてそれぞれ説明する。
【００２２】
先ず、本発明の第１の実施例に適用される廊下灯１１ａ、１１ｂ、・・・において、図２（ｃ）の下面図に示すバックライト３２、３２にて発光された光は、液晶表示装置２０を構成する光拡散板３１に対して２方向から入射されるとともに、電源供給されるパルス状の電圧の当該パルス数に比例して透明状態から半透明状態に断続的に変化する液晶シャッター３３、３３が透明状態の場合には当該液晶シャッターを介して側面方向に出射される、一方、液晶シャッター３３、３３が半透明状態、例えば、曇りガラスのような状態の場合には当該液晶シャッターを介して筐体内部方向に反射された後、光拡散板３１に入射される。液晶表示装置２０を構成する光拡散板３１は、バックライト３２、３２からの入射光と半透明状態の液晶シャッター３３、３３を介して反射された反射光とを拡散して均一な光量で液晶パネル３０の背面側全体に亘り出射することにより、図１のシステム構成図に示すベッド子機１ａ〜４ａ、１ｂ〜４ｂにて呼出操作が行なわれた病室Ａ、Ｂ、・・・内に居る患者等からナースコール親機１０が設置されたナースセンター内に居る看護婦等への呼び出し等の状態情報を、図２（ａ）の正面図に示す液晶表示装置２０の画面上、すなわち、図２（ｃ）の下面図に示す液晶パネル３０の表示面（図示せず）にてイラスト、文字等を用いて表示させることができる。
【００２３】
また、図２（ｃ）の下面図に示すバックライト３２、３２にて発光された光がパルス状の電圧の印加により断続的に透明状態とされた液晶シャッター３３、３３を介して側面方向に出射されると、図２（ａ）の正面図および図２（ｂ）の正面図に示す表示部２１、２１が点滅し、この点滅は、パルス状の電圧の当該パルス数に比例した速さで行なわれることにより、図１のシステム構成図に示すベッド子機１ａ〜４ａ、１ｂ〜４ｂにて呼出操作が行なわれた病室Ａ、Ｂ、・・・内に居る患者等からナースコール親機１０が設置されたナースセンター内に居る看護婦等への呼び出し等の状態情報を報知させることができる。
【００２４】
次に、本発明の第２の実施例に適用される廊下灯１１ａ’、１１ｂ’、・・・において、図３（ｃ）の下面図に示すバックライト３２、３２にて発光された光は、液晶表示装置２０を構成する光拡散板３１に対して２方向から入射されるとともに、電源供給されるパルス状の電圧の当該パルス数に比例した速さで可動して断続的に開閉する機械式シャッター３４、３４が開成状態の場合には当該機械式シャッターの開口部（図示せず）を介して側面方向に出射される、一方、機械式シャッター３４、３４が閉成状態の場合には当該機械式シャッターの反射材（図示せず）を介して筐体内部方向に反射された後、光拡散板３１に入射される。液晶表示装置２０を構成する光拡散板３１は、バックライト３２、３２からの入射光と機械式シャッター３４、３４の反射材（図示せず）を介して反射された反射光とを拡散して均一な光量で液晶パネル３０の背面側全体に亘り出射することにより、図１のシステム構成図に示すベッド子機１ａ〜４ａ、１ｂ〜４ｂにて呼出操作が行なわれた病室Ａ、Ｂ、・・・内に居る患者等からナースコール親機１０が設置されたナースセンター内に居る看護婦等への呼び出し等の状態情報を、図３（ａ）の正面図に示す液晶表示装置２０の画面上、図３（ｃ）の下面図に示す液晶パネル３０の表示面（図示せず）にてイラスト、文字等を用いて表示させることができる。
【００２５】
また、図３（ｃ）の下面図に示すバックライト３２、３２にて発光された光がパルス状の電圧の印加により断続的に開成状態とされた機械式シャッター３４、３４の開口部（図示せず）を介して側面方向に出射されると、図３（ａ）の正面図および図３（ｂ）の正面図に示す表示部２１、２１が点滅し、この点滅は、パルス状の電圧の当該パルス数に比例した速さで行なわれることにより、病室内に居る患者等からナースセンター内に居る看護婦等への呼び出し等の状態情報を報知させることができる。
【００２６】
【発明の効果】
以上の説明から明らかなように、本発明のナースコール装置によれば、ベッド子機が設置された病室内の患者等からナースコール親機が設置されたナースセンター内に居る看護婦への呼び出し等の状態情報を廊下灯の側面にて報知させる報知機能を実現するための光源を、当該状態情報を廊下灯の前面にて表示させる液晶表示機能を実現する液晶表示装置の光源をなす発光効率が高いバックライトを用いて併用させることにより、廊下灯にて消費される電力を抑制でき省電力化が図れるとともに当該廊下灯の設置数の制限を解消できる。
【図面の簡単な説明】
【図１】本発明の第１、第２の各実施例によるナースコール装置のシステム構成図である。
【図２】本発明の第１の実施例に適用される廊下灯の構成を示す（ａ）は正面図、（ｂ）は側面図、（ｃ）は（ａ）の廊下灯をＡ−Ａ線で切断した場合における下面図である。
【図３】本発明の第２の実施例に適用される廊下灯の構成を示す（ａ）は正面図、（ｂ）は側面図、（ｃ）は（ａ）の廊下灯をＡ’−Ａ’線で切断した場合における下面図である。
【図４】従来例の廊下灯の構成を示す（ａ）は正面図、（ｂ）は側面図、（ｃ）は（ａ）の廊下灯をａ−ａ線で切断した場合における下面図である。
【符号の説明】
１ａ〜４ａ、１ｂ〜４ｂ、・・・ ・・・・・ベッド子機
１０・・・・・ナースコール親機
１１ａ、１１ｂ、・・・ ・・・・・廊下灯
２０・・・・・液晶表示装置
３２、３２・・・・・バックライト
３３、３３・・・・・液晶シャッター
３４、３４・・・・・機械式シャッター
【図１】
0004647854.tif 000002
【図２】
0004647854.tif 000003
【図３】
0004647854.tif 000004
【図４】
0004647854.tif 000005